(57)【要約】      （修正有）【課題】お守りを透明のお洒落なものにして、内部に神饌や祈願文などを納めて、視認できるようにする。【解決手段】  形状を天板（１）と筒本体（２）から成るアクリル射出成型の正六角形筒状に形成して、天板の表面にストラップ用の天板を設けて、周りに十二支を標記する。筒本体には、底の表面に点字（２ａ）を標記して、内部に神饌や願文などを納めるために、内部の正面側と背面側を二分する内角間にアクリル製仕切り板（３）を設置して、その仕切り板の正面側の面には、あらかじめ、霊場を特定出来るものを標記して、背面側の面にも、あらかじめ、祈願文を標記しておく、内蔵する神饌の塩、米、日本酒に代わる酒精３品は、仕切り板の正面側内部（２ｂ）に塩を納め、背面側内部（２ｃ）に米を納めて、両側の内部に酒精を注入する。【選択図】図１
2010253222.tif 000002
【特許請求の範囲】
【請求項１】
天板の表面にストラップ用の突起と干支の方位を標示し、底板の表面に凸点字で吉事を標示して、内部に神の御供物が納まる構造で、透明アクリル射出成型による正六角筒形の、天板と筒本体から成ることを特徴の神饌内蔵の御守りにおいて、
【請求項２】
前記天板の十二支の子方向を背面側、反対側の午方向を正面側として、前記正六角筒形の正面側と背面側を二分する内角間に、透明アクリル製の仕切り板を設置したことを特徴とする請求項１記載の神饌内蔵の御守り。
【請求項３】
前記仕切り板の正面側の面に、お守りを授与する聖地の特定できるものを標示し、背面側に、祈祷した世事百般の願文と落款を明記したことを特徴とする請求項１または２記載の神饌内蔵の御守り。
【請求項４】
神から下賜された塩を、前記仕切り板の正面側に納め、米を、前記仕切り板の背面側に納め、神酒の酒精を、米と塩の両側に注いだことを特徴とする請求項１から３記載の神饌内蔵の御守り。
【発明の詳細な説明】
【技術分野】
【０００１】  本発明は、縁起物のほかに、携帯電話やバッグ、カバンなどのアクセサリーとして利用されることを目的に、全体の形状、構造、触覚、視覚および内蔵物などを考慮のうえ、天板にストラップ用の突起を有し、内部に御供物を納めるための仕切りを設けた透明アクリル製の正六角筒形に形成した。【０００２】  また、本来の縁起物としての用途を満たすため、正六角筒形の天板の表面に十二支を標示し、底板の表面に視覚障害者のために、幸運、開運、幸福などの吉事を点字で標示してある。また、筒本体内部に神饌を納めるために、正六角筒形は、天板と筒本体に分離してあり、天板に標示した十二支の子方向を背面側、反対側の午方向を正面側と定め、筒本体の正面側と背面側を二分する内角間に透明アクリル製の仕切り板を設置する。【０００３】  前記筒本体に設置した仕切り板の正面側の面には、神社や霊場など、御守りを授与する聖地の特定できるものが標示してあり、背面側の面には、全ての願いを聞き入れる世事百般の願文と落款が明記してある。また、神から下賜された御供物の塩を、前記筒本体の正面側に納め、米を背面側に納めて、神酒の酒精を両側に注いだ、神饌内蔵の御守りに関する。
【背景技術】
【０００４】  筒形の容器を有するお守りにおいては、円筒形のアクリル製またプラスチック製の透明ケースの中に同様の円筒形または八角筒形の支持体を設置して、その中に自分で記入した願文を挿入して蓋で閉じ、アクセサリーとしても利用出来るように筒本体の側面にストラップ用の穴を有している。また、容器を円筒形の他に、動物やキーホルダーの形状としている（参考文献１参照）【０００５】  また、透明の容器を有する沖縄の魔除けにおいては、小瓶などの容器に、合成樹脂で固めた塩、米、石、サンなど魔除けの品や神酒、芳香剤などを入れて、小瓶の首の部分にストラップを有している（参考文献２参照）
【特許文献１】  特開  ２００５−１６８５６１
【特許文献２】  特開  平成０９−２３８８２１
【発明の開示】
【発明が解決しょうとする課題】
【０００６】  従来のお守りは、自分が考えた願い事を記入することで、独自のお守りに出来るものの、願い事が変わる度、記入する祈祷部材を購入して書き換える必要があり、面倒であるという問題点と、外形を円筒形の他に、動物やキーホルダーなどの形態としているため、玩具の印象が強く、アクセサリーとしての要素には問題がある。
【０００７】  また、従来の沖縄の魔除けは、内蔵物を合成樹脂で固めて透明の容器に入れてあるものの、内蔵物が乱雑なため見栄えが悪く、飾り物としての視覚的な問題点と、誰でも簡単に作れるという問題点がある。また、小瓶の首にストラップを付ける形態としていて、意匠や平衡が悪く、アクセサリーとしての要素に問題がある。
【０００８】  本発明は以上の問題を解決するため、アクセサリーの用途を満たす手段と、御守の機能を満たす手段を下記のように講ずる。
【課題を解決するための手段】
【０００９】  上記アクセサリーとしての課題を達成するため、本発明は、全体の形状、調和、内蔵物などを考慮して、外形を、天板にストラップ用の突起を有する透明アクリル製の正六角筒形に形成する。また、神饌を納めるために、天板と筒本体を分離する構成にして、さらに、納める神饌を整理するために、仕切り板を設ける構成とした。これにより、形状、構造、触覚、視覚など、全てに調和がとれて、アクセサリーとしての用途を満たすことができる。
【００１０】  上記御守りの機能の課題を達成するため、本発明は、天板の表面に十二支の方位を凸文字で標示して、子方向を背面側、反対側午の方向を正面と定めて、前記筒本体内の背面側と正面側を二分する内角間に、透明アクリル製の仕切り板を設置する。設置する仕切り板の正面側の面には、御守りを授与する神社や霊場など、聖地を特定するものを標記し、背面側の面には、全ての願い事を聞き入れる百般祈願の願文と落款を明記する。また、各々の神から下賜された塩を、筒本体の正面側に納め、米を、筒本体の背面側に納めて、神酒の酒精を、塩と米の両側に注入して、神饌を内蔵した構成とする。これにより、御守りとしての機能を満たすことができる。
【００１１】  さらに、前記正六角筒形の底の表面に凸点字で幸運、開運、幸福など、吉事を表示して、視覚障害者にも御守りとして認識させる構成とする。
【発明の効果】
【００１２】  上述のように課題を解決した本発明の御守りは、以下の効果を奏する。
【００１３】  正六角筒形の調和の取れた形状と構造、透明アクリル製の触覚および内蔵物の視覚的な要素など、アクセサリーとしての効果がある。
【００１４】  神から下賜された神饌を内蔵したことで、祈願だけでなく、神の御加護が授かるという精神的な安心感が得られる効果がある。
【００１５】  全ての願いを聞き入れる世事百般祈願の願文を内蔵したことで、本発明の御守りのみで、全ての願い事ができる効果がある。
【００１６】  点字で表記したことで、視覚障害者に配慮した御守りであるという効果がある。
【発明を実施するための最良の形態】
【００１７】  図１は、正面または背面の立面図である。
外観は、ストラップ用の突起を有する天板（１）と筒本体（２）で出来ており、天板のストラップ用の突起（２ａ）の孔（２ｂ）は直径２ｍｍ程度として、孔の方向は、正面と背面を向くように設定してある。また、携帯電話などのストラップに付けることを考慮して、寸法は、天板の突起部分を除く縦を２０ｍｍ程度、対辺間を１３ｍｍ程度としてあり、天板と筒本体の接合部分以外の角は、全て丸面取りとしてある。【００１８】  図２は、天板の平面図である。
図で示すように、十二支（１ｃ）を、子から時計回りに順番に配置してあり、子方向を背面側、午方向を正面側と定め、文字は射出成型した凸文字で標示してある。
文字の標示手段は、射出成型からインクゼットプリントに変更することがある。【００１９】  図３は天板の天伏図である。
中央の仕切り（１ｄ）は、筒本体に取付けた仕切り板（３）と接合する部分であり、仕切り板と密着することにより、粒の小さい塩が反対側に零れるのを防ぐ。【００２０】  図４は、図２のＡ−Ｂ部分と、図３のＣ−Ｄ部分の断面図である。
仕切り（１ｄ）の両側の空洞部分は、筒本体（２）の正面側（２ｂ）と背面側（２ｃ）へ酒精を満タンに注入した際の空間部分である。これにより、内部に液体が注入されているのが確認できる。【００２１】  図５は、筒本体の平面図である。
筒本体（２）の内部は、正面側（２ａ）と、背面側（２ｂ）を二分する内角間に、透明アクリル製の仕切り板（３）を接着剤で固定してあり、その仕切り板の正面側には、あらかじめ、お守りを授与する神社や霊場など聖地を特定するものがインクゼットでプリントしてあり、背面側にも、あらかじめ、祈祷した世事百般祈願の願文と落款がインクゼットでプリントしてある。
仕切り板の聖地を特定する手段として、雛形などを貼り付けることもある。【００２２】  また、筒本体（２）には、それぞれの神から下賜された神饌の塩、米、酒精のうち、正面側（２ｂ）に、塩を聖地の標記が隠れない程度に入れ、背面側（２ｃ）には、米を干支の数の１２粒入れて、塩と米の両側に酒精を満タンに注入する。神饌を納めた後に、図１で示すように、筒本体の正面と、天板（１）の正面の位置を合わせて、接着剤で密封する。
清酒の代わりに酒精を使用した手段は、塩が酒精に溶けないことである。また、米を１２粒入れる手段は、粒数を変更することがある。【００２３】  図６は、筒本体の底面図である。
正面側（２ｂ）を上方向にして、幸運、開運、幸福など、吉事を凸点字（２ａ）で表記してある。
点字を標記する手段は、４文字までがよい。【００２４】  図７は、図５のＥ−Ｆ部分と、図６のＧ−Ｈ部分の断面図である。
仕切り板の３）は、筒本体（２）の内部と同じ高さに設定してあり、前記天板（１）の仕切り（１ｄ）と密着するようにしてある。
【図面の簡単な説明】
【００２５】
【図１】  正六角筒形の正面または背面の外観図
【図２】  天板の平面図
【図３】  天板の底面図
【図４】  図２のＡ−Ｂ部分と、図３のＣ−Ｄ部分の断面図
【図５】  筒本体の平面図
【図６】  筒本体の底面図
【図７】  図５のＥ−Ｆ部分と、図６筒本体のＧ−Ｈ部分の断面図
【符号の説明】
【００２６】    １    天板
１ａ  ストラップ用突起
１ｂ  ストラップを通す円形孔
１ｃ  十二支
１ｄ  仕切り
２    筒形本体
２ａ  凸点字
２ｂ  正面側内部
２ｃ  背面側内部
３    仕切り板
【図１】
2010253222.tif 000003
【図２】
2010253222.tif 000004
【図３】
2010253222.tif 000005
【図４】
2010253222.tif 000006
【図５】
2010253222.tif 000007
【図６】
2010253222.tif 000008
【図７】
2010253222.tif 000009
【手続補正書】
【提出日】平成21年4月30日(2009.4.30)
【手続補正１】
【補正対象書類名】特許請求の範囲
【補正対象項目名】全文
【補正方法】変更
【補正の内容】
【特許請求の範囲】
【請求項１】
天板と筒本体から成るアクリル射出成型の正六角形の筒状にあって、前記天板は、中心部分にストラップ用の突起を有して、周りに十二支を凸字で標記しており、前記筒本体は、底面の表側に吉事を凸点字で標記して、内部に塩、米、清酒に代わる酒精の供物３品と願文などを納めるために、アクリル製仕切り板を設置したことを特徴とする神饌内蔵の御守り。
【請求項２】
前記天板の表面に標記の前記十二支の子の方向を背面、反対側の午の方向を正面と定めて、前記筒本体の内部を正面と背面を二分する内角間に、前記アクリル製仕切り板を設置して、正面側内部と背面側内部に区分したことを特徴とする請求項１記載の神饌内蔵の御守り。
【請求項３】
前記アクリル製仕切り板の正面側の面には、前記供物と前記願文を授与する神社や霊場などの聖地を特定できるものが標示してあり、背面側の面には、前記願文の世事百般などを標示したことを特徴とする請求項１または２記載の神饌内蔵の御守り。
【請求項４】
前記供物３品は、塩を前記正面側内部に納め、米を前記背面側内部に納めて、日本酒に代わる酒精を両側内部に注入したことを特徴とする請求項１、２または３記載の神饌内蔵の御守り。
【手続補正２】
【補正対象書類名】明細書
【補正対象項目名】全文
【補正方法】変更
【補正の内容】
【発明の詳細な説明】
【技術分野】
【０００１】  ストラップを付けてアクセサリーに利用できる御守りに関する。
【背景技術】
【０００２】  筒形の容器を有するお守りにおいては、円筒形のアクリル製またはプラスチック製の透明ケースの中に同じ円筒形または八角形筒の支持体を設置して、その中に自分で記入した願文を挿入して蓋を閉じ、アクセサリーとして利用出来るように、筒本体の側面にストラップ用の穴を有している。また、容器を円筒形の他に、動物やキーホルダーの形状としている（参考文献１参照）【０００３】  また、透明の容器を有する沖縄の魔除けにおいては、小瓶などの容器に、合成樹脂で固めた塩、米、石、サンなど魔除けの品や神酒、芳香剤などを入れて、小瓶の首の部分にストラップを有している（参考文献２参照）
【特許文献１】  特開  ２００５−１６８５６１
【特許文献２】  特開  平成０９−２３８８２１
【発明の開示】
【発明が解決しょうとする課題】
【０００４】  従来のお守りは、自分が考えた願い事を記入することで、独自のお守りに出来るものの、願い事が変わる度、記入する祈祷部材を購入して書き換える必要があり、面倒であるという問題点と、外形を円筒形の他に、動物やキーホルダーなどの形態としているため、玩具の印象が強く、アクセサリーとしての要素には問題がある。
【０００５】  また、従来の沖縄の魔除けは、内蔵物を合成樹脂で固めて透明の容器に入れてあるものの、内蔵物が乱雑であり、また、小瓶の首にストラップを付ける形態としているため、全体的な意匠や平衡が悪く、アクセサリーとしての要素に問題がある。
【０００６】  本発明は、以上の問題を解決するため、御守りの機能とアクセサリーの用途を満たす手段を下記のように講ずる。
【課題を解決するための手段】
【０００７】  本発明は、上記の目的を達成するため、天板と筒本体から成るアクリル射出成型の正六角形の筒状に形成して、前記天板の中心部分にストラップ用の突起を設け、周りに十二支を凸字で標記する。また、前記筒本体の底の表面に幸運、開運、幸福などの吉事を凸点字で標記し、内部に塩、酒、日本酒に代わる酒精の供物３品を納める。
【０００８】  また、前記天板に標記の前記十二支の子の方向を背面、反対側の午の方向を正面と定めて、前記筒本体内の背面と正面を二分する内角間に、アクリル製仕切り板を設置して、正面側内部と背面側内部に区分する。
【０００９】  さらに、前記アクリル製仕切り板の正面側の面には、あらかじめ供物や願文などを授与する神社や霊場などの聖地を特定するものが標記してあり、前記背面側の面にもあらかじめ、世事百般などの願文が標記してある。
【００１０】  前記内部に納める供物３品は、塩を前記正面側内部に納め、米を前記背面側内部に納めて、日本酒に代わる酒精を、両側の内部に注入する。以上の構成により、御守りの機能とアクセサリーの用途を満たすことができる。
【発明の効果】
【００１１】  上述のように課題を解決した本発明の神饌内蔵の御守りは、以下の効果を奏する。
【００１２】  アクリル製の正六角形筒の形状にして、内部に神饌３品と願文などを納めて、視認できるようにしたことにより、従来のお守りの概念を変える効果がある。
【００１３】  また、神饌３品を内蔵したことにより、神の御加護が授かる精神的な安心感が得られる効果がある。
【００１４】  世事百般などの願文を内蔵したことにより、本発明の御守り一体で全ての願い事ができる効果がある。
【００１５】  点字標記したことにより、視覚障害者に配慮した御守りであるという効果がある。
【産業上の利用可能性】
【００１６】  本発明の神饌内蔵の御守りは、祈願と加護の両機能を備えており、意匠的にも美観であるため、お洒落なアクセサリーとして、携帯電話やバッグなどのストラップに利用できる。
【発明を実施するための最良の形態】
【００１７】  図１は、正面または背面の立面図である。
正六角形の筒状は、天板（１）の表面に十二支（１ｃ）を標記して（図２参照）、中央部分にストラップ用の突起（１ａ）を有しており、突起の孔（１ｂ）は正面と背面を向くように設定してある。筒本体（２）には、底の表面に点字（２ａ）が標記してあり（図６参照）、内部に神饌や願文などを納めるようにしてある（図５参照）。寸法は、携帯電話などのストラップに利用されることを考慮して、天板の突起を除く縦を２０ｍｍ〜２２ｍｍ程度、対辺間を１２ｍｍ〜１４ｍｍ程度とする。【００１８】  図２は、天板の平面図である。
図で示す通り、天板の中心部分にストラップ用の突起（１ａ）が設け、周りには十二支（１ｃ）を、子から時計回りに順番に配置してあり、子の方向を背面側、午の方向を正面側と定め、文字は射出成型した凸文字で標示してある。
文字の標示手段は、射出成型からインクゼットプリントに変更することがある。【００１９】  図３は天板の伏せ図である。
中央の仕切り（１ｄ）は、筒本体（２）に取付けた仕切り板（３）と接合する部分であり、仕切り板と密着することで、内部に納める神饌の塩が背面側に零れるのを防ぐ。【００２０】  図４は、図２のＡ−Ｂ部分と、図３のＣ−Ｄ部分の断面図である。
仕切り（１ｄ）の両側の空洞部分は、筒本体（２）の正面側内部（２ｂ）と背面側内部（２ｃ）に、日本酒に代わる酒精を満タンに注入した際の空間部分である。
空間を設けたことで、筒本体内に神饌の酒が注入されているのを確認できる。【００２１】  図５は、正六角形の筒本体の平面図である。
筒本体（２）の内部は、正面側内部（２ａ）と、背面側内部（２ｂ）を二分する内角間に、アクリル製の仕切り板（３）が設置してあり、その仕切り板の正面側の面には、あらかじめ、供物や願文を授与する神社や霊場などの聖地を特定するものがインクゼットでプリントしてあり、背面側にも、あらかじめ、祈祷した世事百般の願文がインクゼットでプリントしてある。【００２２】  内部に納める神饌の塩、米、日本酒に代わる酒精の３品は、正面側内部（２ｂ）に塩を、標記が隠れない程度に納め、背面側内部（２ｃ）に米を、干支の数の１２粒納めて、両側の内部に、日本酒に代わる酒精を満タンに注入する。以上の供物３品を納めた後に、筒本体（２）の背面側と天板（１）の子の方向または正面側と午の方向を合わせて、接着剤で密封する。
仕切り板に標記する聖地を特定する手段として、雛形などを貼り付けることもある。また、供物の日本酒を酒精にした手段は、塩が酒精に溶けないためである。【００２３】  図６は、正六角形の筒本体の底面図である。
筒本体（２）の底の表面に凸点字（２ａ）で標記した幸運、開運、幸福などの吉事は、筒本体の正面を上方向にした状態で、右側の上から下へ、左側の上から下へと読めるように標記してある。
凸点字を標記する手段としては、前記以外の標記もあり、筒本体の側面に標記する場合もある。【００２４】  図７は、図５のＥ−Ｆ部分と、図６のＧ−Ｈ部分の断面図である。
仕切り板（３）は、筒本体（２）の内部と同じ高さにしてあり、天板（１）の仕切り（１ｄ）と密着するように設定してある。
【図面の簡単な説明】
【００２５】
【図１】  本発明の実施形態を示す正面または背面の外観図
【図２】  正六角形の天板の平面図
【図３】  天板を下から見上げた伏せ図
【図４】  図２のＡ−Ｂ部分と、図３のＣ−Ｄ部分の断面図
【図５】  天板を装着していない状態の筒本体の平面図
【図６】  正六角形の筒本体の底面図
【図７】  図５のＥ−Ｆ部分と、図６のＧ−Ｈ部分の断面図
【符号の説明】
【００２６】    １      天板
１ａ    ストラップ用の突起
１ｂ    ストラップを通す直径２ｍｍ程度の円形孔
１ｃ    十二支
１ｄ    仕切り
２      筒本体
２ａ    凸点字
２ｂ    正面側内部
２ｃ    背面側内部
３      アクリル製の仕切り板